(57)【要約】    【課題】  各種の部材を駆動させるために駆動手段として複数の電磁アクチュエータを用いたとき、電磁アクチュエータから生ずる漏れ磁束が周辺のデバイスに与える影響を効果的に抑えることができるレンズ鏡筒を得ること。    【解決手段】  撮像装置に用いられるレンズ鏡筒であって、該レンズ鏡筒は電磁アクチュエータにて撮影用の部材を駆動する光軸方向に離間され配置された第１、第２の機能ユニットと、撮影用のレンズを保持する鏡筒ユニットとを有し、該第１、第２の機能ユニットを構成する磁気駆動部は、該レンズ鏡筒の円周方向であって、同位相の位置に対向配置されており、該第１、第２の機能ユニットを構成する磁気駆動部の同位相に配置されている該磁気駆動部との間に磁性体が設けられていること。【選択図】    図２
2009168892.tif 000002
【特許請求の範囲】
【請求項１】
撮像装置に用いられるレンズ鏡筒であって、該レンズ鏡筒は電磁アクチュエータにて撮影用の部材を駆動する光軸方向に離間され配置された第１、第２の機能ユニットと、撮影用のレンズを保持する鏡筒ユニットとを有し、
該第１、第２の機能ユニットを構成する磁気駆動部は、該レンズ鏡筒の円周方向であって、同位相の位置に対向配置されており、
該第１、第２の機能ユニットを構成する磁気駆動部の同位相に配置されている該磁気駆動部との間に磁性体が設けられていることを特徴とするレンズ鏡筒。
【請求項２】
前記磁性体は前記鏡筒ユニットに固定支持されていることを特徴とする請求項１のレンズ鏡筒。
【請求項３】
前記第１、第２の機能ユニットは、一方が通過光束を制限する絞りユニットであり、他方が光軸と垂直方向の成分を持つように移動し、像ブレを補正するレンズ群を保持する防振ユニットであることを特徴とする請求項１又は２のレンズ鏡筒。
【請求項４】
前記磁性体は前記第１、第２の機能ユニットの磁気駆動部より発生した漏れ磁束を吸収する形状より成ることを特徴とする請求項１、２又は３のレンズ鏡筒。
【請求項５】
請求項１乃至４のいずれか１項のレンズ鏡筒と、該レンズ鏡筒を介した像を受光する固体撮像素子を有することを特徴とする撮像装置。
【発明の詳細な説明】
【技術分野】
【０００１】
本発明は、各部材を駆動するため、複数の電磁アクチュエータを備えたデジタルスチルカメラ、ビデオカメラ等の撮像装置（カメラ）に装着されるレンズ鏡筒に関する。特にレンズ鏡筒を構成する各部材を駆動するとき、一方の電磁アクチュエータから発生する漏れ磁束が、他方の電磁アクチュエータに対し悪影響を及ぼすことを効果的に抑制するようにしたレンズ鏡筒に関するものである。
【背景技術】
【０００２】
従来、撮像装置に装着されるレンズ鏡筒において、レンズ群の移動、絞り装置の駆動等を行う機能ユニットには電磁アクチュエータが用いられている。この電磁アクチュエータは、コイル、ヨーク、およびマグネットから構成される磁気回路を用いて、各種の機能ユニットを駆動させている（特許文献１）。
【０００３】
特許文献１のレンズ駆動装置では、電磁アクチュエータを、コイルとマグネットをコの字状の上部ヨークと下部ヨークにより上下から囲むことによって構成し、漏れ磁束を減少させ、漏れ磁束による周辺のデバイスへの悪影響を減少させている。更にレンズ保持部材を駆動させるときの駆動効率を向上させている。
【特許文献１】特開2007-072271号公報
【発明の開示】
【発明が解決しようとする課題】
【０００４】
特許文献１では、コイル支持部材をレンズホルダに設けるためにヨークに切り欠き部を設けている。このためヨーク（マグネット）で形成される磁路が完全な閉磁路とはならないため、漏れ磁束は完全になくすことが難しい。又、他のデバイスが近傍に配置されるとこの漏れ磁束が悪影響を起こす場合がある。
【０００５】
また、一般にヨークは磁束の飽和が生じない程度の厚さに設定されている。しかし、ヨークを十分な厚さに設定すると、ヨークの体積が増加し、電磁アクチュエータが大型化、高重量化してくる。
【０００６】
一方、電磁アクチュエータから発生する漏れ磁束は、周辺のデバイスに影響を与えたり、塵芥を吸い寄せたりするため、極力抑えることが重要である。この漏れ磁束を抑えるためには、電磁アクチュエータを、漏れ磁束の影響を防止すべき部分から遠ざければ良い。しかしながらそのように構成すると、設計上の制約や、鏡筒内の無駄な空隙が生じレンズ鏡筒が大型化してくるので良くない。
【０００７】
本発明は、各種の部材を駆動させるために駆動手段として複数の電磁アクチュエータを用いたとき、電磁アクチュエータから生ずる漏れ磁束が周辺のデバイスに与える影響を効果的に抑えることができるレンズ鏡筒及びそれを用いた撮像装置の提供を目的とする。
【課題を解決するための手段】
【０００８】
本発明のレンズ鏡筒は、撮像装置に用いられるレンズ鏡筒であって、該レンズ鏡筒は電磁アクチュエータにて撮影用の部材を駆動する光軸方向に離間され配置された第１、第２の機能ユニットと、撮影用のレンズを保持する鏡筒ユニットとを有し、該第１、第２の機能ユニットを構成する磁気駆動部は、該レンズ鏡筒の円周方向であって、同位相の位置に対向配置されており、該第１、第２の機能ユニットを構成する磁気駆動部の同位相に配置されている該磁気駆動部との間に磁性体が設けられていることを特徴としている。
【発明の効果】
【０００９】
本発明によれば、各種の部材を駆動させるために駆動手段として複数の電磁アクチュエータを用いたとき、電磁アクチュエータから生ずる漏れ磁束が周辺のデバイスに与える影響を効果的に抑えることができるレンズ鏡筒が得られる。
【発明を実施するための最良の形態】
【００１０】
以下、本発明の実施例について図面を参照しながら説明する。
【００１１】
本発明のレンズ鏡筒は、ビデオカメラ、デジタルスチルカメラ、テレビカメラ等の撮像装置に用いられるレンズ鏡筒である。
【００１２】
図１は、本発明のレンズ鏡筒の実施例１の要部断面図である。実施例１は一眼レフカメラ用の交換レンズに適用したときの内部構造を示している。
【００１３】
尚、本発明のレンズ鏡筒は交換レンズでなく、カメラ本体に一体的に装着されたレンズ鏡筒であっても良い。
【００１４】
本実施例の交換レンズは、物体側（前側）から像側へ順に、撮影用のレンズである第１〜第５群レンズＬ１〜Ｌ５を有する５群構成のレンズ系（撮影光学系）である。第１、第３、第５群レンズＬ１、Ｌ３、Ｌ５は固定である。第２群レンズＬ２は光軸方向に移動可能なフォーカスレンズ群である。第４群レンズＬ４は光軸と垂直方向の成分を持つように移動し、レンズ系が振動したときの像ブレを補正するための補正レンズ群（シフトレンズ群）である。Ｌ６は差込フィルター（光学フィルター）である。
【００１５】
第１群レンズＬ１は複数のレンズより成り、前群鏡筒２１に支持されている。前群鏡筒２１は環状の振動型モータからなるアクチュエータユニット（第１駆動手段）２２に固定されている。
【００１６】
焦点調節用の第２群レンズＬ２は移動鏡筒２５に保持されている。移動鏡筒２５にビス固定されたベアリングコロ２６は、案内筒２３に設けられた直進溝及びカム筒２４に設けられたフォーカスカムに摺動嵌合している。さらに、アクチュエータユニット２２の回転伝達部材である不図示のフォーカスキーがカム筒２４を回転させることにより第２群レンズＬ２を保持する移動鏡筒２５が光軸方向に進退（移動）する。
【００１７】
案内筒２３は中間筒（第１本体部分）２７を介して固定筒（第２本体部分）２８に接続支持されている。なお、中間筒２７および固定筒２８は鏡筒本体の一部を構成している。外筒２９は固定筒２８に接続支持されている。
【００１８】
外筒２９に設けた目盛窓３０からはアクチュエータユニット２２の回転に伴って、光軸中心に回転する距離目盛３１が確認できるようになっている。
【００１９】
また、アクチュエータユニット２２にはレンズ鏡筒の手振れ等による振れを検出する不図示の振動検出センサが固定されており、さらにアクチュエータユニット２２は案内筒２３にビスにより固定されている。
【００２０】
第３群レンズＬ３は固定鏡筒（鏡筒ユニット）３２に保持され、固定鏡筒３２は固定筒２８にビスにより固定支持されている。固定鏡筒３２には後述する漏れ磁束吸収用の磁性体３９が設けられている。
【００２１】
第４群レンズ（補正レンズ群）Ｌ４は防振ユニット（第２の機能ユニット）３３に支持され、防振ユニット３３は固定筒２８にビスにより支持されている。防振ユニット３３は第４群レンズＬ４を光軸直交方向の成分を持つように駆動してカメラが振動したときの像振れの補正を行う。
【００２２】
第５群レンズＬ５は固定鏡筒３４に保持され、固定鏡筒３４は固定筒２８にビスにより支持されている。
【００２３】
外筒２９の後端部には、マウント３５がビスにより支持されており、マウント３５にはカメラ本体との通信および電源の供給を行うために設けられている接点ブロック３６がビスにより支持されている。
【００２４】
絞りユニット（第１の機能ユニット）３７は、通過光束を制限しており、電気素子等を搭載した電気回路基板３８とともに、中間筒２７にビスにより固定されている。
【００２５】
電気回路基板３８上に形成された電気回路は、アクチュエータユニット２２、防振ユニット３３、および絞りユニット３７等により接続され、これらのユニットの駆動を制御する。
【００２６】
図２はレンズ鏡筒内の防振ユニット（第２の機能ユニット）３３、および絞りユニット（第１の機能ユニット）３７近傍の詳細を示す断面図である。
【００２７】
第１、第２の機能ユニット３７、３３は電磁アクチュエータの磁気駆動部にて撮影用の部材を駆動しており光軸方向に離間され配置されている。
【００２８】
図２において固定筒２８にビスにより支持されている防振ユニット３３には、コイル、ヨーク、およびマグネット等から構成される像ブレ補正用の駆動アクチュエータ(不図示)を搭載している。さらに、コイル３３０１、ヨーク３３０２、マグネット３３０３等から構成されるロック駆動アクチュエータ３３０６が搭載されている。
【００２９】
コイル３３０１は、中心保持部材３３０４に取り付けられており、中心保持部材３３０４は、ロック駆動アクチュエータ３３０６によって駆動される。防振動作のオフ時にメカ的に第４群レンズ固定鏡筒３３０５をその光軸がレンズ鏡筒の光軸に一致する位置にロック保持する。また防振動作オン時には該ロック保持を解除する。ロック保持解除後、像ブレ補正用の駆動アクチュエータにより補正レンズ群Ｌ４を可動させて防振（画像ブレの補正）を行う。
【００３０】
絞りユニット３７の絞り駆動アクチュエータ３７０１は、ステッピングモータを駆動源として絞りの開口駆動を制御する良く知られているアクチュエータである。
【００３１】
本実施例では、撮影光学系の光軸方向において、レンズ鏡筒前側より絞りユニット（第１の機能ユニット）３７、第３群レンズ固定鏡筒（鏡筒ユニット）３２、防振ユニット（第２の機能ユニット）３３の順に配置された構成を有している。絞り駆動アクチュエータ３７０１とロック駆動アクチュエータ３３０６は漏れ磁束吸収用の磁性体３９を介して、レンズ鏡筒の円周方向であって、同位相の位置に対向配置されている。
【００３２】
絞り駆動アクチュエータ３７０１とロック駆動アクチュエータ３３０６は光軸方向に非常に近い間隔（数ｍｍ）で配置されている。
【００３３】
本実施例では第３群レンズ固定鏡筒３２にビスにより支持された漏れ磁束吸収用の磁性体３９を備えている。この磁性体３９によって漏れ磁束を磁化（吸収）し、一方のユニットから発生した漏れ磁束の影響が他方のユニットに及ぶのを少なくしている。
【００３４】
図３は図２の分解斜視図である。
【００３５】
図３に示すように第１、第２の機能ユニット３７、３３を構成する磁気駆動部は、レンズ鏡筒の円周方向であって、同位相の位置に対向配置されている。
【００３６】
磁性体３９は、第１、第２の機能ユニット３７、３３を構成する磁気駆動部の同位相に配置されている磁気駆動部との間に磁性体が設けられている。
【００３７】
本実施例の磁性体３９は第１、第２の機能ユニット３７、３３の磁気駆動部より発生した漏れ磁束を吸収する形状より成っている。
【００３８】
具体的には、漏れ磁束吸収用の磁性体３９は絞り駆動アクチュエータ３７０１と像ブレ補正用のロック駆動アクチュエータ３３０６の対向する部分を覆いこむような略扇状となっている。これにより一方のユニットから発生した漏れ磁束を効率的に吸収している。
【００３９】
図４は、本発明の他の実施例の要部斜視図である。
【００４０】
この実施例でも、上述したのと略同様の構成が採られている。本実施例では、漏れ磁束吸収用の磁性体３９を環状としている。これによってロック駆動アクチュエータ３３０６のみならず像ブレ補正用の駆動アクチュエータ等の漏れ磁束を吸収することができる。
【００４１】
磁性体３９の形状は漏れ磁束を吸収できればどのような形状であっても良い。
【００４２】
各実施例では、漏れ磁束吸収用磁性体３９を第３群レンズ固定鏡筒３２の絞りユニット３７と対向する面に取り付けたが、防振ユニット３３と対向する面に取り付けてよい。
【００４３】
各実施例において、第１、第２の機能ユニットは、一方が通過光束を制限する絞りユニットであり、他方が像ブレを補正するレンズ群を保持する防振ユニットであるが、第１、第２の機能ユニットは逆であっても良い。
【００４４】
各実施例において、電磁アクチュエータで部材を駆動する機能ユニットを３以上有するときは、各機能ユニット間に各々漏れ磁束を吸収する磁性体を配置するのが良い。
【００４５】
また、各実施例は、一眼レフカメラ用の交換レンズ鏡筒について説明したが、本発明は、レンズ鏡筒を介した像を受光する固体撮像素子を有するビデオカメラのレンズ鏡筒にも適用してもよい。
【００４６】
又、レンズシャッターカメラのレンズ鏡筒（交換不可）に適用しても良い。
【図面の簡単な説明】
【００４７】
【図１】本発明の実施例１を一眼レフカメラ用交換レンズに適用したときの要部断面図である。
【図２】図１の防振ユニット、および絞りユニットの詳細を示す要部断面図である。
【図３】図２の分解斜視図の一部である。
【図４】図３に示した実施例の一部を変更したときの説明図である。
【符号の説明】
【００４８】
Ｌ１・・・第１群レンズ
Ｌ２・・・第２群レンズ
Ｌ３・・・第３群レンズ
Ｌ４・・・第４群レンズ
Ｌ５・・・第５群レンズ
Ｌ６・・・第６群レンズ
２１・・・前群鏡筒
２２・・・アクチュエータユニット
２３・・・案内筒
２４・・・カム筒
２５・・・移動鏡筒
２６・・・ベアリングコロ
２７・・・中間筒
２８・・・固定筒
２９・・・外筒
３０・・・目盛窓
３１・・・距離目盛
３２・・・第３群レンズ固定鏡筒
３３・・・防振ユニット（第２の機能ユニット）
３３０６・・・ロック駆動アクチュエータ
３４・・・第５群レンズ固定鏡筒
３５・・・マウント
３６・・・接点ブロック
３７・・・絞りユニット（第１の機能ユニット）
３７０１・・・絞り駆動アクチュエータ
３８・・・電気回路基盤
３９・・・漏れ磁束吸収用磁性体
【図２】
2009168892.tif 000003
【図１】
2009168892.tif 000004
【図３】
2009168892.tif 000005
【図４】
2009168892.tif 000006